(57)【要約】【課題】より簡便で、かつ容易に照明装置を登録することができる照明装置、照明装置システム、及び照明装置の登録方法を提供すること。【解決手段】本発明の一実施形態に従う照明システムは、固有アドレスを識別することができる識別情報が胴体の外面に記録されている照明装置、及び前記照明装置の胴体の外面に記録された識別情報をリーディングして前記照明装置の固有アドレス情報を獲得し、前記獲得した固有アドレス情報と前記照明装置の位置情報とをマッチングさせて前記照明装置の登録を進行する照明登録装置を含む。【選択図】図１
2015026615.tif 000002
【特許請求の範囲】
【請求項１】
照明装置であって、
制御信号を受信し、前記受信された制御信号によって発光して光を放出する照明部と、
前記照明部の外面に配置されて、前記照明装置の固有アドレス情報を表す識別部と、
を含むことを特徴とする、照明装置。
【請求項２】
前記識別部は、前記照明部の外面に形成されるバーコード及びＱＲ（Quick Response）コードのうち、少なくとも１つを含むことを特徴とする、請求項１に記載の照明装置。
【請求項３】
前記照明装置は、前記照明部から物理的に分離可能であり、前記照明部に結合されることによって外部から転送される前記制御信号を受信し、前記受信された制御信号を前記照明部に伝達する通信モジュールをさらに含むことを特徴とする、請求項１または２に記載の照明装置。
【請求項４】
前記識別部は、前記照明部から物理的に分離可能な通信モジュールの外面に配置されることを特徴とする、請求項３に記載の照明装置。
【請求項５】
前記通信モジュールは、外部から転送される前記照明装置の登録確認のためのディミング信号を受信して前記照明部に伝達し、
前記照明部は、前記通信モジュールから伝達されるディミング信号によってディミング動作を遂行することを特徴とする、請求項３または４に記載の照明装置。
【請求項６】
固有アドレスを識別することができる識別情報が胴体の外面に記録されている照明装置と、
前記照明装置の胴体の外面に記録された識別情報をリーディングして前記照明装置の固有アドレス情報を獲得し、前記獲得した固有アドレス情報と前記照明装置の位置情報とをマッチングさせて前記照明装置の登録を進行する照明登録装置と、
を含むことを特徴とする、照明システム。
【請求項７】
前記照明登録装置は、
照明装置が設置される全体空間に位置情報を含むマップをディスプレイし、
前記ディスプレイされるマップ上で登録しようとする照明装置の位置の選択を受けて、
前記選択を受けた位置によって前記照明装置の位置情報を確認することを特徴とする、請求項６に記載の照明システム。
【請求項８】
前記照明登録装置は、前記確認した照明装置の位置情報及び前記照明装置から獲得した固有アドレス情報で構成される前記照明装置の登録情報を生成し格納することを特徴とする、請求項７に記載の照明システム。
【請求項９】
前記照明登録装置は、前記格納した登録情報をゲートウェイ装置に転送する通信部をさらに含むことを特徴とする、請求項８に記載の照明システム。
【請求項１０】
前記ゲートウェイ装置は、前記登録情報を用いて前記照明装置の正常登録か否かを確認するための信号を前記照明装置に転送し、
前記照明装置は、前記ゲートウェイ装置から転送される信号によりディミング動作を遂行することを特徴とする、請求項９に記載の照明システム。
【請求項１１】
前記照明装置は、
制御信号を受信し、前記受信された制御信号によって発光して光を放出する照明部と、
前記照明部の外面に配置されて、前記固有アドレスを識別することができる識別情報を表す識別部と、
を含むことを特徴とする、請求項６か１０のうちのいずれか一項に記載の照明システム。
【請求項１２】
前記識別部は、前記照明部の外面に形成されるバーコード及びＱＲ（Quick Response）コードのうち、少なくとも１つを含むことを特徴とする、請求項１１に記載の照明システム。
【請求項１３】
前記照明装置は、前記照明部から物理的に分離可能であり、前記照明部に結合されることによって外部から転送される前記制御信号を受信し、前記受信された制御信号を前記照明部に伝達する通信モジュールをさらに含むことを特徴とする、請求項１１または１２に記載の照明システム。
【請求項１４】
前記識別部は、前記照明部から物理的に分離可能な通信モジュールの外面に配置されることを特徴とする、請求項１３に記載の照明システム。
【請求項１５】
前記照明登録装置は、前記照明装置の識別部を撮影またはスキャニングして、前記照明装置の固有アドレスに対する情報を読み取ることを特徴とする、請求項１１から１４のうちのいずれか一項に記載の照明システム。
【請求項１６】
照明装置の外面に記録された前記照明装置の固有アドレスに対する情報を識別することができる識別情報を獲得するステップと、
前記獲得した識別情報を用いて前記照明装置の固有アドレスに対する情報を抽出するステップと、
前記抽出した固有アドレスに対する情報に前記照明装置の設置位置に対する位置情報をマッチングさせて、前記照明装置を登録するステップと、
を含むことを特徴とする、照明装置の登録方法。
【請求項１７】
多数の照明装置が設置される全体空間に対する位置情報を含むマップを表示し、前記マップ上で前記登録しようとする照明装置が設置された位置が選択されるステップがさらに含まれ、
前記照明装置の設置位置に対する位置情報は、
前記マップ上で選択位置情報であることを特徴とする、請求項１６に記載の照明装置の登録方法。
【請求項１８】
前記照明装置は、
光を発生する照明部と、
前記照明部から物理的に分離可能であり、選択的に前記照明部から脱着される通信モジュールとを含み、
前記識別情報は、前記通信モジュールの外面に記録されることを特徴とする、請求項１６または１７に記載の照明装置の登録方法。
【請求項１９】
前記照明装置の登録情報をゲートウェイ装置に転送するステップがさらに含まれ、
前記登録情報は、前記照明装置の固有アドレスに対する情報及び前記照明装置の設置位置に対する位置情報を含むことを特徴とする、請求項１６から１８のうちのいずれか一項に記載の照明装置の登録方法。
【請求項２０】
前記転送される登録情報により、前記ゲートウェイ装置から前記照明装置に登録確認のための信号が転送されるステップと、
前記転送される信号により前記照明装置がディミング動作するステップをさらに含むことを特徴とする、請求項１９に記載の照明装置の登録方法。
【発明の詳細な説明】
【技術分野】
【０００１】
本発明は、照明装置、照明システム、及び照明装置の登録方法に関するものである。
【背景技術】
【０００２】
一般的に、照明装置はスイッチにより制御される。
【０００３】
前記スイッチは前記照明装置と有線で連結されており、ユーザの受動操作により前記照明装置を点灯または消灯させるための制御信号を前記照明装置に伝達する。
【０００４】
しかしながら、上記のようにスイッチを用いて前記照明装置を制御する場合、挙動が不便な患者や老弱者、そして前記スイッチに手が着かない子供が前記照明装置を点灯または消灯させることに不便性があった。
【０００５】
一方、最近、大きいビルディングの内のオフィスや売り場またはホームの照明を無線でコントロールする無線照明制御（Wireless Lighting Control）市場が広がっている。この際、前記照明装置を無線で制御するためには、前記照明装置に通信モジュールが装着されていなければならない。
【０００６】
そして、多数の照明装置のうちのいずれか１つの特定照明装置を制御するためには、ゲートウェイ装置を通じて無線で前記特定照明装置に装着された通信モジュールに照明コントロール信号を転送しなければならない。
【０００７】
この際、ユーザは前記多数の照明装置のうち、前記特定照明装置（制御しようとする照明装置）の位置及び前記特定照明装置に装着されている通信モジュールの固有アドレス（例えば、MAC address）を知っていなければならない。
【０００８】
これによって、既存には新たな照明装置を設置しようとする時、新たな照明装置の設置位置及び前記新たな照明装置に装着された通信モジュールの固有アドレスを確認し、前記確認した設置位置に前記通信モジュールの固有アドレスをマッチングさせて前記新たな照明装置を登録する一連の過程を経なければならない。
【０００９】
前記のような照明装置の登録過程は、照明設置者が前記新たな照明装置に装着された通信モジュールの固有アドレスを確認し、これによって前記確認した固有アドレスを直接に入力する方式により進行された。
【００１０】
しかしながら、前記照明設置者が誤って照明装置の固有アドレスを誤入力するようになれば、ユーザが制御しようとする照明装置でない、他の照明装置が制御される問題点がある。また、このような場合、前記ユーザは前記制御しようとする照明装置の固有アドレスを知らないので、前記制御しようとする照明装置を制御できないという問題点がある。
【００１１】
これによって、上記のように誤入力された照明装置の固有アドレスを訂正するためには、天井（ceiling）に設置された照明装置を解体（dismantle）し、前記解体された照明装置に装着された通信モジュールで固有アドレスを確認し、前記確認した固有アドレスを用いて前記照明装置に対する登録過程をまた進行しなければならないという不便性がある。
【００１２】
また、前記のような従来技術は既に設置された照明装置の位置を変更するか、または新たな照明装置の追加設置または解体する時にも前記問題点がそのまま発生するようになる。
【発明の概要】
【発明が解決しようとする課題】
【００１３】
本発明の様々な実施形態により、より簡便で、かつ容易に照明装置を登録することができる照明装置、照明装置システム、及び照明装置の登録方法を提供する。
【００１４】
提案される本発明の様々な実施形態で達成しようとする技術的課題は、以上で言及した技術的課題に制限されず、言及されていない更に他の技術的課題は以下の記載から提案される実施形態が属する技術分野で通常の知識を有する者に明確に理解できる。
【課題を解決するための手段】
【００１５】
本発明の一態様に従う照明装置は、制御信号を受信し、前記受信された制御信号によって発光して光を放出する照明部、及び前記照明部の外面に配置されて、前記照明装置の固有アドレス情報を表す識別部を含む。
【００１６】
また、前記識別部は、前記照明部の外面に形成されるバーコード及びＱＲ（Quick Response）コードのうち、少なくとも１つを含む。
【００１７】
また、前記照明装置は、前記照明部から物理的に分離可能であり、前記照明部に結合されることによって、外部から転送される前記制御信号を受信し、前記受信された制御信号を前記照明部に伝達する通信モジュールをさらに含む。
【００１８】
また、前記識別部は、前記照明部から物理的に分離可能な通信モジュールの外面に配置される。
【００１９】
また、前記通信モジュールは、外部から転送される前記照明装置の登録確認のためのディミング信号を受信して前記照明部に伝達し、前記照明部は、前記通信モジュールから伝達されるディミング信号によってディミング動作を遂行する。
【００２０】
一方、本発明の一態様に従う照明システムは、固有アドレスを識別することができる識別情報が胴体の外面に記録されている照明装置、及び前記照明装置の胴体の外面に記録された識別情報をリーディングして前記照明装置の固有アドレス情報を獲得し、前記獲得した固有アドレス情報と前記照明装置の位置情報とをマッチングさせて前記照明装置の登録を進行する照明登録装置を含む。
【００２１】
また、前記照明登録装置は、照明装置が設置される全体空間に位置情報を含むマップをディスプレイし、前記ディスプレイされるマップ上で登録しようとする照明装置の位置の選択を受けて、前記選択を受けた位置によって前記照明装置の位置情報を確認する。
【００２２】
また、前記照明登録装置は、前記確認した照明装置の位置情報及び前記照明装置から獲得した固有アドレス情報で構成される前記照明装置の登録情報を生成し格納する。
【００２３】
また、前記照明登録装置は、前記格納した登録情報をゲートウェイ装置に転送する通信部をさらに含む。
【００２４】
また、前記ゲートウェイ装置は、前記登録情報を用いて前記照明装置の正常登録か否かを確認するための信号を前記照明装置に転送し、前記照明装置は、前記ゲートウェイ装置から転送される信号によりディミング動作を遂行する。
【００２５】
また、前記照明装置は、制御信号を受信し、前記受信された制御信号によって発光して光を放出する照明部と、前記照明部の外面に配置されて、前記固有アドレスを識別することができる識別情報を表す識別部とを含む。
【００２６】
また、前記識別部は、前記照明部の外面に形成されるバーコード及びＱＲ（Quick Response）コードのうち、少なくとも１つを含む。
【００２７】
また、前記照明装置は、前記照明部から物理的に分離可能であり、前記照明部に結合されることによって、外部から転送される前記制御信号を受信し、前記受信された制御信号を前記照明部に伝達する通信モジュールをさらに含む。
【００２８】
また、前記識別部は、前記照明部から物理的に分離可能な通信モジュールの外面に配置される。
【００２９】
また、前記照明登録装置は、前記照明装置の識別部を撮影またはスキャニングして、前記照明装置の固有アドレスに対する情報を読み取る。
【００３０】
一方、本発明の一態様に従う照明装置の登録方法は、照明装置の外面に記録された前記照明装置の固有アドレスに対する情報を識別することができる識別情報を獲得するステップ、前記獲得した識別情報を用いて前記照明装置の固有アドレスに対する情報を抽出するステップ、及び前記抽出した固有アドレスに対する情報に前記照明装置の設置位置に対する位置情報をマッチングさせて、前記照明装置を登録するステップを含む。
【００３１】
また、多数の照明装置が設置される全体空間に対する位置情報を含むマップを表示し、前記マップ上で前記登録しようとする照明装置が設置された位置が選択されるステップがさらに含まれて、前記照明装置の設置位置に対する位置情報は、前記マップ上で選択位置情報である。
【００３２】
また、前記照明装置は、光を発生する照明部と、前記照明部から物理的に分離可能であり、選択的に前記照明部から脱着される通信モジュールを含み、前記識別情報は、前記通信モジュールの外面に記録される。
【００３３】
また、前記照明装置の登録情報をゲートウェイ装置に転送するステップがさらに含まれ、前記登録情報は、前記照明装置の固有アドレスに対する情報及び前記照明装置の設置位置に対する位置情報を含む。
【００３４】
また、前記転送される登録情報により、前記ゲートウェイ装置から前記照明装置に登録確認のための信号が転送されるステップ、及び前記転送される信号により前記照明装置がディミング動作を行うステップをさらに含む。
【図面の簡単な説明】
【００３５】
【図１】本発明の一実施形態に従う照明装置システムを示す構成図である。
【図２】図１の照明装置の登録を示す構成図である。
【図３】図２の照明装置のコードを示す実施形態である。
【図４】本発明の一実施形態に従う受信機の構成図である。
【図５】本発明の一実施形態に従う照明装置の構成図である。
【図６】本発明の実施形態に係る照明装置の動作を示す順序図である。
【図７】本発明の実施形態に係る照明登録を遂行するステップを構成図で示すものである。
【図８】照明登録された受信機の一例を示すものである。
【発明を実施するための形態】
【００３６】
以下の内容は単に本発明の原理を例示する。したがって、当業者はたとえ本明細書に明確に説明及び図示されてはいないが、本発明の原理を具現し、本発明の概念と範囲に含まれた多様な装置を発明することができる。また、本明細書に列挙された全ての条件付き用語及び実施形態は、原則的に本発明の概念が理解されるようにするための目的のみに明確に意図され、このように特別に列挙された実施形態及び状態に制約的でないことと理解されるべきである。
【００３７】
また、本発明の原理、観点、及び実施形態だけでなく、特定の実施形態を列挙する全ての詳細な説明は、このような事項の構造的及び機能的な均等物を含むように意図されることと理解されるべきである。また、このような均等物は現在公知された均等物だけでなく、将来に開発される均等物、即ち構造に関わらず、同一な機能を遂行するように発明された全ての素子を含むことと理解されるべきである。
【００３８】
以下、図１から図５を参考にして照明システムを説明する。
【００３９】
図１は本発明の一実施形態に従う照明システムを示す構成図であり、図２は図１の照明装置の登録を示す構成図であり、図３は図２の照明装置のコードを示す実施形態であり、図４は本発明の一実施形態に従う受信機の構成図であり、図５は本発明の一実施形態に従う照明装置の構成図である。
【００４０】
照明システム１０は、ゲートウェイシステム４０及び照明装置２１を含む。前記照明装置２１は、複数個に構成できる。
【００４１】
図面に図示したように、ゲートウェイシステム４０は、外部通信ネットワークを介して照明制御装置（図示せず）と連結される。ここで、前記照明制御装置はユーザの操作信号によって前記照明装置２１を制御するための制御信号を転送する携帯端末機でありうる。
【００４２】
また、ゲートウェイシステム４０は内部の通信ネットワークを介して前記照明装置２１と連結される。
【００４３】
前記ゲートウェイシステム４０は、外部通信ネットワークを介して連結された前記照明制御装置と前記照明装置２１との間に送受信されるデータをインターフェースする。
【００４４】
照明装置２１は複数個に構成されることができ、本実施形態では１１個の照明装置２１を図示している。しかしながら、前記照明装置２１の数はこれに限定されず、より増えたり減ったりすることができる。
【００４５】
各々の照明装置２１は、複数の多様な形態のネットワークに基づいて前記ゲートウェイシステム４０と接続する。
【００４６】
この際、多様な形態のネットワークは互いに異なる転送帯域幅で前記照明装置２１とゲートウェイシステム４０との間で発生するデータを送受信することができる。
【００４７】
ここで、前記多様な形態のネットワークは前記ゲートウェイシステム４０のカバレッジによってジグビー、ブルートゥース、ジーウェーブ、またはワイファイのうち、少なくともいずれか１つの無線方式を含むことができる。
【００４８】
照明装置２１は、家庭またはオフィスで使用する複数の面光源（surface light source）、ランプ（lamp）、またはダウンライト（down-light）のうち、いずれか１つで具現できる。
【００４９】
また、照明装置２１は通信モジュール２２を含むことができる。前記通信モジュール２２は、前記ゲートウェイシステム４０と連結されて無線でデータを送受信することができる。
【００５０】
前記照明装置２１の構成については以後に詳細に説明する。
【００５１】
前記ゲートウェイシステム４０は、図１に示すように、無線通信部４１及びサーバ４２を含むことができる。
【００５２】
前記無線通信部４１は、無線で照明装置２１に制御信号を転送する。前記制御信号は、前記照明制御装置を通じて転送される信号により生成される。
【００５３】
前記無線通信部４１は、少なくとも１つのゲートウェイ装置を含む。
サーバ４２は、無線通信部４１及び外部通信ネットワークと連結されている。そして、サーバ４２は前記無線通信部４１に転送される照明装置２１の出力信号を格納する。また、前記サーバ４２は前記無線通信部４１から伝達される制御信号を格納する。
【００５４】
このようなサーバ４２は、前記出力信号及び制御信号を格納するための格納部（図示せず）をさらに含むことができる。
【００５５】
前記サーバ４２は、外部ネットワークであるクラウド網を通じて照明制御装置と連結され、これによって前記照明制御装置から転送される信号を受信して前記照明装置２１を制御することができる。
【００５６】
一方、ゲートウェイシステム４０がサーバを含まない場合、各々のゲートウェイ装置は出力信号及び制御信号を格納するための別途のメモリを含むことができる。
【００５７】
また、複数のゲートウェイ装置の間はイーサネット（登録商標）で相互連結されることができ、必要によって各々のゲートウェイ装置に対する情報を相互共有することができる。
【００５８】
このような照明システムは、前記照明装置２１を制御するために図２のように前記照明装置２１の固有アドレスを登録する手続を進行する。
【００５９】
前記照明装置を登録するということは、照明設置場所を見せるマップ上で前記照明装置２１の位置を確認し、それによって前記確認した位置と前記照明装置２１に装着された通信モジュールの固有アドレスとをマッチングさせて格納することを意味する。
【００６０】
ここで、前記照明装置２１の固有アドレスは、前記照明装置２１に装着された通信モジュールが有するＭＡＣ（Media Access Control）でありうる。
【００６１】
これによって、実施形態では照明装置２１の外面に前記照明装置２１の固有アドレスに対するアドレス情報（Ｓ１）を含める。ここで、前記アドレス情報（Ｓ１）は前記照明装置の固有アドレスに対するコード情報２４でありうる。
【００６２】
前記コード情報２４は、図３ａのように固有アドレスを示すバーコード（barcode）のことがあり、これとは異なり、図３ｂのように固有アドレスを示すＱＲコード（quick response code）（登録商標）でありうる。
【００６３】
前記コード情報２４は、照明装置２１の外面に配置されて外部から容易に読取できるように形成され、図２のように照明装置２１から脱着可能な通信モジュール２２に形成できる。
【００６４】
ユーザは、各々の照明装置２１のコード情報２４に近接して図２のように受信機３０を配置させ、それによって前記配置された受信機３０を用いて前記照明装置２１に含まれたコード情報２４を獲得する。
【００６５】
前記受信機３０は、前記コード情報２４を読み出すことができる機能を搭載しており、これによって前記コード情報２４に乗せたアドレス情報（Ｓ１）を抽出して、該当照明装置２１の固有アドレスを登録することができる。
【００６６】
以下、アドレス情報（Ｓ１）に対するコード情報２４を有する照明装置２１を説明する。
【００６７】
図４を参考すると、本実施形態の照明装置２１は、変調部２３、ディミング部２５、制御部２７、及び光源２９を含む。
【００６８】
光源２９は、複数の発光ダイオードまたは蛍光ランプを含むことができる。
【００６９】
変調部２３は、照明装置２１の動作制御のための制御信号を変調する。
【００７０】
前記ディミング部２５は、外部からのディミング信号を受信し、これを加工して制御部２７に伝達する。
【００７１】
制御部２７は、変調部２３を通じて変調された制御信号と前記ディミング部２５を通じて伝達されるディミング信号を受信する。
【００７２】
そして、制御部２７は前記受信されたディミング信号と共に前記変調された制御信号を加工して前記光源２９の動作制御のためのオン−オフ信号を生成する。
【００７３】
前記制御部２７は、光源２９を制御する電源回路でありうる。
【００７４】
したがって、前記光源２９は前記制御部２７を通じて伝達されるオン−オフ信号によってオン−オフ動作を遂行して光を放出する。
【００７５】
一方、照明装置２１は通信モジュール２２をさらに含むことができ、前記通信モジュール２２は図２のように照明装置２１に脱着式で付着できる。
【００７６】
前記通信モジュール２２は、前記ゲートウェイシステム４０または隣り合う他の照明装置に付着された通信モジュールと通信を遂行して前記制御信号を受信し、前記受信された制御信号を前記制御部２７に伝達する。
【００７７】
前記通信モジュール２２は内部にアンテナを含み、これを用いて外部から転送される制御信号を受信し、前記受信された制御信号を制御部２７に転送する。
【００７８】
前記通信モジュール２２は、前記無線ネットワークの種類によって前記制御信号を分析する通信集積回路を含むことができ、無線ネットワーク環境によって多数の通信集積回路のうち、いずれか１つの特定通信集積回路を選択して実装できる。
【００７９】
前記通信集積回路は、ジグビー、ジーウェーブ、ワイファイ、またはブルートゥースなどの通信方式のうち、少なくとも１つをサポートすることができる。
【００８０】
このような通信モジュール２２の胴体の外面には前記コード情報２４が形成されている。
【００８１】
そして、前記通信モジュール２２は特定位置に設置された照明装置に脱着式で結合される。
【００８２】
これによって、前記特定位置に設置された照明装置の取替時に前記通信モジュール２２を前記照明装置から分離し、それによって前記特定位置に設置される新たな照明装置に前記分離した通信モジュール２２をまた付着させることができる。
【００８３】
これによって、前記照明装置の故障によって前記照明装置が取り替えられる場合にも前記照明装置との通信のための通信モジュール２２はそのまま維持され、これによって前記取り替えられた新たな照明装置との通信のための登録過程を省略することができる。
【００８４】
言い換えると、照明装置の登録は前記照明装置に付着される通信モジュール２２の固有アドレスと前記照明装置の設置位置情報との相互マッチングによりなされる。
【００８５】
この際、前記光源２９または制御部２７の故障によって前記照明装置の取替がなされても、前記通信モジュール２２はそのまま維持されるため、前記特定位置に設置される通信モジュール２２と前記特定位置に対する位置情報とのマッチングはそのまま維持できる。
【００８６】
一方、受信機３０は図５のような構成を有することができる。
【００８７】
図５を参考すると、前記受信機３０は、リーダー部３１、及び制御部３５を含む。
【００８８】
前記リーダー部３１は、カメラモジュールまたはスキャナーを含み、撮影された映像から固有アドレスを抽出することができる。
【００８９】
好ましくは、前記リーダー部３１は前記照明装置の通信モジュール２２を撮影して、前記通信モジュール２２に形成されたコード情報を含む映像を獲得し、前記獲得した映像を用いて前記コード情報に対応する通信モジュール２２の固有アドレスに対するアドレス情報（Ｓ１）を抽出する。
【００９０】
このようなリーダー部３１は、スマートフォンアプリケーションまたはプログラムをダウンロードして格納し、前記格納したアプリケーションまたはプログラムを実行させるプロセッサでありうる。
【００９１】
前記制御部３５は、リーダー部３１を通じて獲得されたアドレス情報（Ｓ１）を受信し、これによって前記アドレス情報（Ｓ１）を用いて前記通信モジュール２２が付着された照明装置に対する登録を遂行する。
【００９２】
この際、前記制御部３５には多数の照明装置が設置される全体空間に対する位置情報を含むマップが格納されている。そして、マップ上で特定位置が選択されれば、前記選択された位置に前記獲得した通信モジュール２２のアドレス情報をマッチングして格納する。
【００９３】
また、前記受信機３０が通信部３７を含む場合、通信部３７を通じて前記照明装置に対する登録情報（Ｓ２）をゲートウェイ装置に転送する。
【００９４】
ここで、前記登録情報（Ｓ２）は前記照明装置の位置情報（全体空間を示すマップ上で前記照明装置が設置された実際位置に対する位置情報）と前記リーダー部３１を通じて獲得されたアドレス情報とからなる。
【００９５】
以下、図６から図８を参考して、図４及び図５の照明装置２１及び受信機３０を有する照明装置２１の登録を説明する。
【００９６】
図６は本発明の実施形態に係る照明装置２１の動作を示す順序図であり、図７は本発明の実施形態に係る照明登録を遂行するステップを構成図で示すものであり、図８は照明登録された受信機の一例を示すものである。
【００９７】
まず、照明登録ステップが開始されれば（Ｓ１０）、図７のように受信機３０を通じて照明装置の設置空間に対する情報を含むマップを表示し、前記表示されたマップ上で登録しようとする照明装置２１が設置された位置を選択する（Ｓ１１）。
【００９８】
受信機３０で前記登録しようとする照明装置２１の位置が選択されれば、前記受信機３０は前記照明装置２１が実際に設置された位置に移動配置され、それによって前記照明装置２１の通信モジュール２２に形成されているコード情報２４を獲得する（Ｓ１３）。
【００９９】
前記受信機３０は、内部のリーダー部３１から獲得したコード情報２４を用いて前記照明装置に付着された通信モジュール２２の固有アドレス情報（Ｓ１）を読み取る（Ｓ１５）。
【０１００】
前記受信機３０は、前記固有アドレス情報が獲得されれば、前記獲得した固有アドレス情報と前記マップ上で選択された位置情報を格納して、前記照明装置を登録する。
【０１０１】
即ち、受信機３０は前記マップ上で選択された位置情報に前記獲得した固有アドレス情報をマッチングさせて格納することによって、前記照明装置２１に対する登録を進行する。
【０１０２】
また、前記受信機３０が通信部３７を含む場合、前記受信機３０は前記位置情報と固有アドレス情報を含む登録情報（Ｓ２）をゲートウェイ装置に転送する。
【０１０３】
このような照明装置２１の登録が終了すれば、前記照明装置２１はゲートウェイシステム４０の制御により登録確認ディミングで発光を進行することができる（Ｓ２０）。
【０１０４】
即ち、ゲートウェイシステム４０は照明装置２１の正常登録か否かを肉眼で確認するために、前記受信した位置情報及び固有アドレス情報を用いて前記照明装置２１に点滅ディミング信号を転送する。
【０１０５】
そして、照明装置２１は前記点滅ディミング信号を受信して点滅ディミング動作を遂行する。
【０１０６】
このように、実施形態は照明装置の登録ステップで、前記照明装置２１の通信モジュール２２に付着されたコード情報からアドレス情報（Ｓ１）を獲得し、前記獲得したアドレス情報（Ｓ１）を用いて前記照明装置２１の登録を進行するようにすることによって、ユーザが一々前記照明装置２１を観察した後、それに従うアドレス情報を直接入力しなければならない時間及び費用を減らすことができる。
【０１０７】
一方、前記ではゲートウェイ装置と受信機が別途の構成で具現されるとしたが、前記受信機は前記ゲートウェイ装置の構成内に含まれることもできる。
【０１０８】
また、前記受信機は照明登録装置とも名付けることができる。
【０１０９】
また、以上、本発明の好ましい実施形態に対して図示及び説明したが、本発明は前述した特定の実施形態に限定されるものではなく、請求範囲で請求する本発明の要旨を逸脱することなく当該発明が属する技術分野で通常の知識を有する者により多様な変形実施が可能であることは勿論であり、このような変形実施は本発明の技術的思想や展望から個別的に理解されてはならない。
【図１】
2015026615.tif 000003
【図２】
2015026615.tif 000004
【図３】
2015026615.tif 000005
【図４】
2015026615.tif 000006
【図５】
2015026615.tif 000007
【図６】
2015026615.tif 000008
【図７】
2015026615.tif 000009
【図８】
2015026615.tif 000010